【事件の表示】
　特願２０１２−１６５２０６「エンドレス方式のウインチ」拒絶査定不服審判事件〔平成２５年　３月２１日出願公開、特開２０１３−　５３００５、請求項の数（２）〕について、次のとおり審決する。
【結　論】
　原査定を取り消す。
　本願の発明は、特許すべきものとする。
【理　由】
第１　手続の経緯
　本願は、平成２４年７月６日付け（受付日：同年７月９日）（優先権主張平成２３年８月１０日）の出願であって、同年１２月１０日付けで拒絶理由が通知され、平成２５年１月２９日（受付日：同年１月３０日）付けで意見書及び手続補正書が提出されたが、同年４月２６日付けで拒絶査定がされ、同年６月１９日付け（受付日：同年６月２０日）で拒絶査定に対する審判請求がされると同時に明細書及び特許請求の範囲を補正する手続補正書が提出され、その後、当審において同年１０月２４日付けで書面による審尋がされ、同年１２月１１日に回答書が提出されたものである。
　
第２　平成２５年６月１９日付け手続補正（以下、「本件補正」という。）の適否
１　本件補正の内容 
　本件補正は、特許請求の範囲については、本件補正により補正される前の（すなわち、平成２５年１月２９日付けの手続補正書により補正された）下記（１）に示す特許請求の範囲の記載を下記（２）に示す特許請求の範囲の記載へ補正するものであり、明細書については、本件補正により補正される前の下記（３）に示す明細書の段落【００１６】及び【００１７】の記載を下記（４）に示す明細書の段落【００１６】及び【００１７】の記載へ補正するものである。  
　
（１）本件補正前の特許請求の範囲
　「【請求項１】
駆動源により回転駆動する駆動軸と、該駆動軸の設けられたウインチ本体と、駆動軸に取り付けられ外周縁に沿って形成された溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側の端部ローラには、一端側に移動用ローラを回転自在に軸支した連結板が連結され、且つ前記端部ローラの外周縁が水平に形成され、前記移動用ローラの外周縁には略Ｕ字状の溝が形成され、しかも前記連結板は前記移動用ローラを揺動すべくウインチ本体に回転自在に軸支しロープを溝側に取り入れ移動及びロープを溝より取り出し移動時に該ロープの移動を補助することを特徴とするエンドレス方式のウインチ。
　　【請求項２】
駆動源により回転駆動する駆動軸と、該駆動軸の設けられたウインチ本体と、駆動軸に取り付けられ外周縁に沿って形成された溝にロープを巻回する巻回ドラムと、前記溝に沿って巻回したロープの溝からの離脱防止用の複数のロープから形成されたローラ体から構成されたエンドレス方式のウインチにおいて、前記ローラ体の両端側より三角状の頂点位置でウインチ本体に軸支し、且つ前記ローラ体の両端側の端部ローラに一方の端部を連結した連結板をそれぞれ底辺二支点位置で回動自在に軸支した揺動板と、前記連結板の他方の端部に移動用ローラを回転自在に軸支し、しかも前記端部ローラの外周縁を水平に形成し、前記移動用ローラの外周縁を略Ｕ字状の溝を形成することで、ロープを溝側に取り入れ移動及びロープを溝より取り出し移動時に該ロープの移動を補助することを特徴とするエンドレス方式のウインチ。」 
　
（２）本件補正後の特許請求の範囲
　「【請求項１】
駆動源により回転駆動する駆動軸と、該駆動軸の設けられたウインチ本体と、駆動軸に取り付けられ外周縁に沿って溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側の端部ローラには、
それぞれ
　　【請求項２】
前記連結板にそれぞれ底辺二支点位置で回動自在に揺動板を軸支することを特徴とする請求項１に記載の
（なお、下線は、補正箇所を示すためのものである。）
　
（３）本件補正前の明細書の段落【００１６】及び【００１７】
　「【００１６】
上記課題を解決するために、請求項１は、駆動源により回転駆動する駆動軸と、該駆動軸の設けられたウインチ本体と、駆動軸に取り付けられ外周縁に沿って形成された溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側の端部ローラには一端側に移動用ローラを回転自在に軸支した連結板が連結され、且つ前記端部ローラの外周縁が水平に形成され、前記移動用ローラの外周縁には略Ｕ字状の溝が形成され、しかも該連結体は前記移動用ローラを揺動すべくウインチ本体に回動自在に軸支しロープを溝側に取り入れ移動及びロープを溝より取り出し移動時に該ロープの移動を補助することを特徴とする。
　　【００１７】
また、請求項２は、駆動源により回転駆動する駆動軸と、該駆動軸の設けられたウインチ本体と、駆動軸に取り付けられ外周縁に沿って形成された溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側より三角状の頂点位置でウインチ本体に軸支し、且つ前記ローラ体の両端側の端部ローラに一方の端部を連結した連結板をそれぞれ底辺二支点位置で回転自在に軸支した揺動板と、前記連結板の他方の端部に移動用ローラを回転自在に軸支し、しかも前記端部ローラの外周縁を水平に形成し、前記移動用ローラの外周縁を略Ｕ字状の溝を形成することで、ロープを溝側に取り入れ移動及びロープを取り出し移動時に該ロープを補助することを特徴とする。」
　
（４）本件補正後の明細書の段落【００１６】及び【００１７】
　「【００１６】
また、上記課題を解決するために、請求項１は、駆動源により回転駆動する駆動軸と、該駆動軸の設けられたウインチ本体と、駆動軸に取り付けられ外周縁に沿って形成された溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側の端部ローラには、
それぞれ
　　【００１７】
また、請求項２は、
前記連結板にそれぞれ底辺二支点位置で回転自在に揺動板を軸支
（なお、下線は、補正箇所を示すためのものである。）
　
２　本件補正の目的の適否、願書に最初に添付した明細書、特許請求の範囲又は図面に記載した事項の範囲内のものか否か及び発明の特別な技術的特徴を変更するものか否か
　本件補正は、特許請求の範囲の請求項１については、本件補正前の請求項１の「前記ローラ体の両端側の端部ローラには、一端側に移動用ローラを回転自在に軸支した連結板が連結され」という記載を「前記ローラ体の両端側の端部ローラには、
それぞれ
それぞれ
　さらに、本件補正は、明細書については、特許請求の範囲の記載を補正したことに伴い、明細書の記載を特許請求の範囲の記載と整合するように補正したものである。
　したがって、本件補正は、特許法第１７条の２第３項ないし第５項に違反するものではない。
　
３　独立特許要件
　そこで、本件補正後の特許請求の範囲の請求項１に係る発明（以下、「本願補正発明」という。）が、特許出願の際独立して特許を受けることができるものであるかどうかについて、さらに検討する。
　
（１）引用文献の記載、記載事項及び引用発明
ア　引用文献の記載
　原査定の拒絶の理由に引用され、本願の優先日前に日本国内において頒布された刊行物である特開２０１０−６４８９５号公報（以下、「引用文献」という。）には、「ウインチ」に関して、図面とともに概ね次の記載がある（以下、順に、「記載ａ」、「記載ｂ」のようにいう。）。
　
ａ　「【００３５】
本発明のウインチ１は、ワイヤロープ等の紐状体を一方よりウインチ本体２に取り込むとともにウインチ本体２の他方より取り出し移動するエンドレス（無端状）ウインチ（以後ウインチで表す）である。また、本発明においてワイヤロープ等の紐状体とは、一般的な金属製のワイヤロープ、通常の樹脂製の強化ロープ、外周に樹脂の設けられたロープ等の強度のある材質及び新素材による重量の軽ロープの総称である（以下、紐状体７で表す）。
【００３６】
ウインチ１の基本構成は、駆動軸５の設けられたウインチ本体２と該ウインチ本体２の駆動軸５を回転駆動する駆動部（図示せず）とからなり、ウインチ本体２の駆動軸５には外周縁に略Ｖ字状の溝が形成された巻回ドラム６が前記駆動軸５の正方向への回転／逆方向への回転によって回転すべく取り付けられている。駆動軸５を回転駆動する駆動部は、電動の場合は、駆動軸５に直接、又は間接的に取り付けられたモータであり、手動の場合は駆動軸５に直接、又は間接的に取り付けられたハンドルである。
【００３７】
上記ウインチ本体２に紐状体７を取り入れ移動するとともにウインチ本体２より紐状体７を取り出し移動する構成は、巻回ドラム６への紐状体７の取り入れる部分に近接又は接して、及び巻回ドラム６より紐状体７を取り出し部分に近接又は接して揺動押圧体９が設けられている。
【００３８】
上記揺動押圧体９の基本構成は、中央部をウインチ本体２に軸支しシーソー状に揺動する揺動連結板１０と、該揺動連結板１０の両端側に回転自在に軸支した２個の押圧案内ローラ１１ａ，１１ｂとから構成され、一方の押圧案内ローラ１１ａが巻回ドラム６外周の溝側へ移動すると他方の押圧案内ローラ１１ｂは巻回ドラム６外周の溝側より離反すべく移動する。」（段落【００３５】ないし【００３８】）
　
ｂ　「【００４４】
そして、巻回ドラム６近傍では、取り入れ移動した紐状体７を巻回ドラム６より離反する方向に回動した押圧案内ローラ１１ａに沿ってスムーズに移動した後、押圧案内ローラ１１ａの移動により揺動連結体１０が揺動し押圧案内ローラ１１ｂａを巻回ドラム６の外周の溝側に押圧し紐状体７を溝側に押圧しながら、巻回ドラム６の回転に沿って紐状体７を取り入れ移動する。
【００４５】
また、巻回ドラム６より取り出し移動する紐状体７は、巻回ドラム６の外周の溝に沿って移動した後、押圧案内ローラ１１ｂに沿ってスムーズに巻回ドラム６より取り出し移動し、押圧案内ローラ１１ａにより取り出し部分より紐状体７を取り出し移動する。
【００４６】
上記のように、揺動押圧体９は、紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動される。」（段落【００４４】ないし【００４６】）
　
ｃ　「【００５８】
上記、実施例において、揺動押圧体９で紐状体７を巻回ドラム６の外周の溝側に押圧して、巻回ドラム６の回転を紐状体７に伝達したが、本発明において、巻回ドラム６の回転を紐状体７に伝達する方法は上記方法に限定されるものでなく、例えば、巻回ドラム６の外周に沿って帯状体１８を設け、該帯状体１８で巻回ドラム６の回転時に外周の溝側へ紐状体７を押圧すべく構成し、帯状体１８の両端側をそれぞれ上記実施例の揺動押圧体９と連結することで、揺動押圧体９と帯状体１８とを連動させて紐状体７を巻回ドラム６の外周の溝に押圧させながら移動することもできる。また、揺動押圧体９と帯状体１８とを別々に駆動し、紐状体７を巻回ドラム６側へ移動する作用と、巻回ドラム６の外周に沿って押圧して紐状体７の巻回ドラム６よりの離脱を防止することもできる。」（段落【００５８】）
　
ｄ　図６から、帯状体１８が複数のローラから形成されたローラ体であることが看取される。
　
ｅ　図６から、ローラ体の端部ローラと揺動押圧体９を連結する連結部材（当審注：便宜上、このように表現する。）があることが看取される。
　
イ　引用文献の記載事項
　引用文献の記載ａないしｅ及び図面の記載から、引用文献には、次の事項が記載されていると認める（以下、順に、「記載事項ｆ」、「記載事項ｇ」のようにいう。）。
　
ｆ　記載ａの「本発明のウインチ１は、ワイヤロープ等の紐状体を一方よりウインチ本体２に取り込むとともにウインチ本体２の他方より取り出し移動するエンドレス（無端状）ウインチ（以後ウインチで表す）である。」（段落【００３５】）及び「ウインチ１の基本構成は、駆動軸５の設けられたウインチ本体２と該ウインチ本体２の駆動軸５を回転駆動する駆動部（図示せず）とからなり、ウインチ本体２の駆動軸５には外周縁に略Ｖ字状の溝が形成された巻回ドラム６が前記駆動軸５の正方向への回転／逆方向への回転によって回転すべく取り付けられている。」（段落【００３６】）、図１及び図６によると、引用文献には、駆動部により回転駆動する駆動軸５と、該駆動軸５の設けられたウインチ本体２と、駆動軸５に取り付けられ外周縁に沿って溝が形成された巻回ドラム６と、から構成されたエンドレスウインチ１が記載されている。
　
ｇ　記載ｃの「本発明において、巻回ドラム６の回転を紐状体７に伝達する方法は上記方法に限定されるものでなく、例えば、巻回ドラム６の外周に沿って帯状体１８を設け、該帯状体１８で巻回ドラム６の回転時に外周の溝側へ紐状体７を押圧すべく構成し、帯状体１８の両端側をそれぞれ上記実施例の揺動押圧体９と連結することで、揺動押圧体９と帯状体１８とを連動させて紐状体７を巻回ドラム６の外周の溝に押圧させながら移動することもできる。」（段落【００５８】）、記載ｄの「帯状体１８が複数のローラから形成されたローラ体であること」、図６及び記載事項ｆによると、引用文献には、巻回ドラム６の外周の溝に沿って巻回した紐状体７を巻回ドラム６の回転時に外周の溝側へ紐状体７を押圧する複数のローラから形成されたローラ体が記載されている。
　
ｈ　記載ａの「上記ウインチ本体２に紐状体７を取り入れ移動するとともにウインチ本体２より紐状体７を取り出し移動する構成は、巻回ドラム６への紐状体７の取り入れる部分に近接又は接して、及び巻回ドラム６より紐状体７を取り出し部分に近接又は接して揺動押圧体９が設けられている。」（段落【００３７】及び「上記揺動押圧体９の基本構成は、中央部をウインチ本体２に軸支しシーソー状に揺動する揺動連結板１０と、該揺動連結板１０の両端側に回転自在に軸支した２個の押圧案内ローラ１１ａ，１１ｂとから構成され、一方の押圧案内ローラ１１ａが巻回ドラム６外周の溝側へ移動すると他方の押圧案内ローラ１１ｂは巻回ドラム６外周の溝側より離反すべく移動する。」（段落【００３８】）、記載ｂの「そして、巻回ドラム６近傍では、取り入れ移動した紐状体７を巻回ドラム６より離反する方向に回動した押圧案内ローラ１１ａに沿ってスムーズに移動した後、押圧案内ローラ１１ａの移動により揺動連結体１０が揺動し押圧案内ローラ１１ｂａを巻回ドラム６の外周の溝側に押圧し紐状体７を溝側に押圧しながら、巻回ドラム６の回転に沿って紐状体７を取り入れ移動する。」（段落【００４４】）及び「上記のように、揺動押圧体９は、紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動される。」（段落【００４６】）、記載ｅの「ローラ体の端部ローラと揺動押圧体９を連結する連結部材があること」、図６並びに記載事項ｇによると、引用文献には、ローラ体の両端側の端部ローラには、それぞれ両端側に押圧案内ローラ１１ａ及び押圧案内ローラ１１ｂを回転自在に軸支した揺動連結板１０から構成された揺動押圧体９と連結する連結部材が連結されていることが記載されている。
　
ｉ　記載ａの「上記揺動押圧体９の基本構成は、中央部をウインチ本体２に軸支しシーソー状に揺動する揺動連結板１０と、該揺動連結板１０の両端側に回転自在に軸支した２個の押圧案内ローラ１１ａ，１１ｂとから構成され、一方の押圧案内ローラ１１ａが巻回ドラム６外周の溝側へ移動すると他方の押圧案内ローラ１１ｂは巻回ドラム６外周の溝側より離反すべく移動する。」（段落【００３８】）、記載ｂの「上記のように、揺動押圧体９は、紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動される。」（段落【００４６】）、図１、図６及び記載事項ｈによると、引用文献には、連結部材により連結された揺動押圧体９の揺動連結板１０は押圧案内ローラ１１ａ及び押圧案内ローラ１１ｂを揺動すべくウインチ本体２に回転自在に軸支し紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動することが記載されている。
　
ウ　引用発明
　引用文献１の記載ａないしｅ、記載事項ｆないしｉ及び図面を整理すると、引用文献には、次の発明（以下、「引用発明」という。）が記載されていると認める。
　
　「駆動部により回転駆動する駆動軸５と、該駆動軸５の設けられたウインチ本体２と、駆動軸５に取り付けられ外周縁に沿って溝が形成された巻回ドラム６と、巻回ドラム６の前記溝に沿って巻回した紐状体７を巻回ドラム６の回転時に外周の溝側へ紐状体７を押圧する複数のローラから形成されたローラ体から構成されたエンドレスウインチ１において、前記ローラ体の両端側の端部ローラには、それぞれ両端側に押圧案内ローラ１１ａ及び押圧案内ローラ１１ｂを回転自在に軸支した揺動連結板１０から構成された揺動押圧体９と連結する連結部材が連結され、しかも前記連結部材により連結された揺動押圧体９の揺動連結板１０は押圧案内ローラ１１ａ及び押圧案内ローラ１１ｂを揺動すべくウインチ本体２に回転自在に軸支し紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動するエンドレスウインチ１。」
　
（２）対比
　本願補正発明と引用発明を対比する。
　
　引用発明における「駆動部」は、その機能、構成及び技術的意義からみて、本願補正発明における「駆動源」に相当し、以下、同様に、「駆動軸５」は「駆動軸」に、「ウインチ本体２」は「ウインチ本体」に、「外周縁に沿って溝が形成された巻回ドラム６」は「外周縁に沿って溝にロープを巻回する巻回ドラム」に、「紐状体７」は「ロープ」に、「紐状体７を巻回ドラム６の回転時に外周の溝側へ紐状体７を押圧する複数のローラから形成されたローラ体」は「ロープの溝からの離脱防止用の複数のローラから形成されたローラ体」に、「エンドレスウインチ１」は「エンドレス方式のウインチ」に、それぞれ相当する。
　また、引用発明における「両端側に押圧案内ローラ１１ａ及び押圧案内ローラ１１ｂを回転自在に軸支した揺動連結板１０から構成された揺動押圧体９と連結する連結部材」と本願補正発明における「一端側に移動用ローラを回転自在に軸支した連結板」は、その機能、構成及び技術的意義からみて、「ロープの案内ローラを回転自在に軸支した連結部材」という限りにおいて、一致する。
　さらに、引用発明における「前記連結部材により連結された揺動押圧体９の揺動連結板１０は押圧案内ローラ１１ａ及び押圧案内ローラ１１ｂを揺動すべくウインチ本体２に回転自在に軸支し紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動する」と本願補正発明における「前記連結板は前記移動用ローラを揺動すべくウインチ本体に回転自在に軸支しロープを溝側に取り入れ移動及びロープを溝より取り出し移動時に該ロープの移動を補助する」は、その機能、構成及び技術的意義からみて、「前記連結部材はロープを溝側に取り入れ移動及びロープを溝より取り出し移動時に該ロープの移動を補助する」という限りにおいて、一致する。
　
　したがって、本願補正発明と引用発明は、
　「駆動源により回転駆動する駆動軸と、該駆動軸の設けられたウインチ本体と、駆動軸に取り付けられ外周縁に沿って溝にロープを巻回する巻回ドラムと、前記溝に沿って巻回したロープの溝からの離脱防止用の複数のローラから形成されたローラ体から構成されたエンドレス方式のウインチにおいて、前記ローラ体の両端側の端部ローラには、それぞれロープの案内ローラを回転自在に軸支した連結部材が連結され、しかも前記連結部材はロープを溝側に取り入れ移動及びロープを溝より取り出し移動時に該ロープの移動を補助するエンドレス方式のウインチ。」
である点で一致し、以下の点で相違する。
　
ア　相違点１
　「ロープの案内ローラを回転自在に軸支した連結部材」に関して、本願補正発明においては、「一端側に移動用ローラを回転自在に軸支した連結板」であるのに対し、引用発明においては、「両端側に押圧案内ローラ１１ａ及び押圧案内ローラ１１ｂを回転自在に軸支した揺動連結板１０から構成された揺動押圧体９を連結する連結部材」であり、しかも、本願補正発明においては、「端部ローラの外周縁が水平に形成され」、「移動用ローラの外周縁には略Ｕ字状の溝が形成され」ているのに対し、引用発明においては、そのようなものか明らかでない点（以下、「相違点１」という。）。
　
イ　相違点２
　「前記連結部材はロープを溝側に取り入れ移動及びロープを溝より取り出し移動時に該ロープの移動を補助する」に関して、本願補正発明においては、「前記連結板は前記移動用ローラを揺動すべくウインチ本体に回転自在に軸支しロープを溝側に取り入れ移動及びロープを溝より取り出し移動時に該ロープの移動を補助する」であるのに対し、引用発明においては、「前記連結部材により連結された揺動押圧体９の揺動連結板１０は押圧案内ローラ１１ａ及び押圧案内ローラ１１ｂを揺動すべくウインチ本体２に回転自在に軸支し紐状体７のウインチ１への取り入れ側では、押圧案内ローラ１１ａで紐状体７を取り入れ移動することで、押圧案内ローラ１１ｂａが巻回ドラム６の外周の溝側に押圧移動され、紐状体７を溝側に押圧しながら移動することができ、紐状体７のウインチ１よりの取り出し側では、巻回ドラム６の外周の溝より取り出し移動した紐状体７が押圧案内ローラ１１ｂを押圧しながら押圧案内ローラ１１ａ側に移動するために、紐状体７は巻回ドラム６に適切に取り入れられ、また巻回ドラム６より適切に取り出し移動する」である点（以下、「相違点２」という。）。
　
（３）相違点１及び２についての判断
　そこで、上記相違点１及び２について、以下に検討する。
　
ア　相違点１について
　引用文献の記載ｃの「例えば、巻回ドラム６の外周に沿って帯状体１８を設け、該帯状体１８で巻回ドラム６の回転時に外周の溝側へ紐状体７を押圧すべく構成し、帯状体１８の両端側をそれぞれ上記実施例の揺動押圧体９と連結することで、揺動押圧体９と帯状体１８とを連動させて紐状体７を巻回ドラム６の外周の溝に押圧させながら移動することもできる。」及び図６によると、引用文献には、「両端側に押圧案内ローラ１１ａ及び押圧案内ローラ１１ｂを回転自在に軸支した揺動連結板１０から構成された揺動押圧体９」を、帯状体１８の両端側の「端部ローラ」に、「連結部材」により連結することは記載されているが、引用文献には、帯状体１８の両端側の「端部ローラ」を「案内ローラ１１ｂ」と兼用することで「押圧案内ローラ１１ｂ」及び「揺動連結板１０」を省略することは記載されていないし、それを示唆する記載もなく、設計的事項であるともいえない。
　また、帯状体１８の両端側の「端部ローラ」の外周縁を水平に形成すること及び「押圧案内ローラ１１ａ」の外周縁を略Ｕ字状の溝に形成することも、引用文献には、記載されていないし、それを示唆する記載もなく、設計的事項であるともいえない。
　したがって、引用発明において、相違点１に係る本願補正発明の発明特定事項とすることは、当業者が容易に想到し得たことであるとはいえない。
　
イ　相違点２について
　相違点２に係る本願補正発明の発明特定事項は、「連結部材」に関する発明特定事項であり、即ち相違点１に係る本願補正発明の発明特定事項を前提とするものであるから、相違点１に係る本願補正発明の発明特定事項とすることが、当業者が容易に想到し得たことであるとはいえない以上、相違点２に係る本願補正発明の発明特定事項も、当業者が容易に想到し得たことであるとはいえない。
　
（４）むすび
　以上のとおり、相違点１及び２は、何れも、当業者が容易に想到し得たことであるとはいえないので、本願補正発明は、引用発明、即ち引用文献に記載された発明に基づいて、当業者が容易に発明をすることができたものであるとはいえない。
　よって、本件補正は、特許法第１７条の２第６項において準用する同法第１２６条第７項の規定に適合する。
　
４　むすび
　本件補正は、特許法第１７条の２第３項ないし第６項の規定に適合するので、適法なものである。
　
第３　本願発明
　本件補正は、上記第２のとおり適法なものであるから、本願の特許請求の範囲の請求項１及び２に係る発明（以下、「本願発明１」及び「本願発明２」という。）は、本件補正により補正された明細書及び特許請求の範囲の範囲並びに願書に最初に添付した図面の記載からみて、その特許請求の範囲の請求項１及び２に記載された事項により特定されるとおりのものである。
　そして、本願発明１は、本願補正発明であるから、上記第２のとおり、引用文献に記載された発明に基づいて、当業者が容易に発明をすることができたものであるとはいえない。
　また、本願発明２は、請求項１を引用するものであり、本願発明１の発明特定事項を全て有するものであるから、本願発明１と同様に、引用文献に記載された発明に基づいて、当業者が容易に発明をすることができたものであるとはいえない。
　したがって、本願については、原査定の拒絶の理由を検討してもその理由によって拒絶すべきものとすることはできない。
　また、他に本願を拒絶すべき理由を発見しない。
　
　よって、結論のとおり審決する。